(57)【要約】      （修正有）【課題】仮締機構を簡単にし、部品点数を削減し、また特殊な仮締機構を必要とせず、作動が円滑で、強度がある引戸鎌錠の提供。【解決手段】トリガー５に形成されたラックと、回動鎌６の基部に設けられたピニオン８がトリガー５とが係合し、引戸閉止時にトリガー５の後退により回動鎌の先端がストライク３ａに掛合する。トリガー５に、他端に係止爪１１ｂが設けられた揺動ストッパレバー１１が揺動可能に取付けられ、揺動ストッパレバー１１の他端下部にスプリング１３が取付けられて、トリガー５の進退によって係止爪１１ｂが錠ケース４上部の係止孔１４に係脱可能になる仮締機構を備えた。【選択図】図１
2007077765.tif 000002
【特許請求の範囲】
【請求項１】
戸枠側にストライクボックスが取付けられ、引戸側に錠ケースが取付けられて該錠ケース内にトリガーと回動鎌が設けられ、前記回動鎌の基部に設けられたピニオンと前記トリガーの下面部に形成されたラックとが係合し、前記トリガーの先端部がスプリングの付勢力により錠ケースのフロントから突出して引戸閉止時に、前記先端部が前記ストライクボックスに設けられたストライクに当接してトリガーが後退し、前記トリガーの後退により回動鎌の先端部がストライクに掛合する引戸鎌錠において、他端に係止爪を設けた揺動ストッパレバーが前記トリガーに揺動可能に取付けられ、このストッパレバーの他端下部にスプリングが取付けられて、前記トリガーの進退によって係止爪が錠ケース上部に形成した係止孔に係脱可能な仮締機構が備えられたことを特徴する引戸鎌錠。
【請求項２】
前記仮締機構の揺動ストッパレバーは、一端には括れ曲がった係合突起が設けられて前記トリガー上に設けた係合凹部に係合され、他端にはレ状の係止爪が設けられている請求項１記載の引戸鎌錠。
【発明の詳細な説明】
【技術分野】
【０００１】
本発明は、トイレや勉強部屋，大広間等の出入り口等を開閉する引戸に取付けられる引戸鎌錠に関するものである。
【背景技術】
【０００２】
従来、室内または室外への出入り口に設けられる引戸には、引戸閉止時に回動鎌が回動してストライクボックスのストライクに掛合する引戸鎌錠が用いられており、例えば図７及び図８に示すものが知られている。
【０００３】
この従来周知の引戸鎌錠は、戸枠２１側にストライクボックス２３が取付けられ、引戸２２側に錠ケース２４が取付けられ、錠ケース２４内にはトリガー２５と回動鎌２６が設けられている。トリガー２５はその下面部にラック２７が形成され、後端側にはスプリング２８が介装されて、その付勢力により閉止前には先端部２５ａが錠ケース２４のフロント２４ａから突出し、閉止時にはストライクボックス２３側に当接して後退するようになっている。
【０００４】
回動鎌２６は、閉止時に回動してストライクボックス２３のストライク２３ａに掛合される先端部２９が設けられ、基部にはラック２７に係合するピニオン３０が設けられ、背部側にはラチェット歯３１が形成されている。
【０００５】
この引戸鎌錠は、引戸閉止時にストライク２３ａに設けた突出ブランジャー３２にトリガー２５の突出する先端部２５ａが当接してトリガー２５が後退し、トリガー２５の後退によりラック２７とピニオン３０の作動により回動鎌２６を回動させ、その先端部２９をストライク２３ａに掛合させている。
【０００６】
また、錠ケース２４内には、ラチェット爪３３ａを備えたラチェット体３３が設けられ、そのラチェット爪３３ａが回転鎌２６のラチェット歯３１に係脱可能になっている。ラチェット体３３は、ピン軸３３ｂが略三角孔３６に装入されて上下及び傾き可動であり、更に、ラチェット体３３には、その側面部をスプリング３４の付勢力により押圧するラチェットガイド３５が設けられて、引戸鎌錠の仮締機構が構成されている。
【０００７】
そして、ラチェット爪３３ａを備えたラチェット体３３とラチェット体３３を押圧するラチェットガイド３５からなる仮締機構は、引戸閉止時にラチェット歯３１にラチェット爪３３ａを係合させて仮締し、引戸鎌錠の開放を阻止している（特開２００５−１２０７２４号公報の図４参照）。
【０００８】
しかしながら、かかる引戸鎌錠は、仮締機構がラチェット爪３３ａを備えた上下及び傾き可動になるラチェット体３３とそのラチェット体３３を側面部から弾力的に押圧するラチェットガイド３５で構成されているので、構造が複雑であり、また部品点数も多い。また、引戸閉止の際の反発（バウンド）を阻止する機能をも併せ持たせているため、特殊な仮締機構になっている。
【０００９】
また、従来引戸鎌錠の仮締機構を簡単にする技術としては、回動鎌の仮締操作を行うために、反転ばね機構を採用したもの（例えば、実登３０３７７０２号公報の図２に示すもの等）もあるが、反転ばね機構を用いたものは作動状態が円滑でなく、また耐久性にも難があり、短期間で破損し易いという問題がある。
【特許文献１】特開２００５−１２０７２４号公報
【特許文献２】実登３０３７７０２号公報
【発明の開示】
【発明が解決しようとする課題】
【００１０】
本発明は、上記のような問題点を解決しようとするものであり、仮締機構を簡単にし、部品点数を削減し、また特殊な仮締機構を必要とせず、作動が円滑で、強度がある引戸鎌錠を提供することを目的としている。
【課題を解決するための手段】
【００１１】
本発明に係る請求項１の引戸鎌錠は、戸枠側にストライクボックスが取付けられ、引戸側に錠ケースが取付けられて該錠ケース内にトリガーと回動鎌が設けられ、該回動鎌の基部に設けられたピニオンと前記トリガーの下面部に形成されたラックが係合し、トリガーの先端部がスプリングの付勢力により錠ケースのフロントから突出して引戸閉止時に、該先端部が前記ストライクボックスのストライクに当接してトリガーが後退し、該トリガーの後退により回動鎌の先端部がストライクに掛合する引戸鎌錠において、上記トリガーに、他端に係止爪を設けた揺動ストッパレバーが揺動可能に取付けられ、該ストッパレバーの他端下部にスプリングが取付けられて、前記トリガーの進退によって係止爪が錠ケース上部の係止孔に係脱可能になる仮締機構が備えられたことを特徴する。
【００１２】
また、前記仮締機構の揺動ストッパレバーは、一端に括れ曲がった係合突起が設けられて前記トリガー上に設けた係合凹部に係合され、他端にはレ状の係止爪が設けられている。
【発明の効果】
【００１３】
本発明は、仮締機構がトリガーに揺動可能に取付けられた揺動ストッパレバーとその他端下部に取付けられたスプリングと錠ケース上部の係止孔とその係止孔に係脱可能になる揺動ストッパレバー他端の係止爪で構成されている。即ち、仮締機構は、揺動ストッパレバーとスプリングと係止孔と係止爪からなるごく簡単なものである。それ故に、構造が極めて簡単になって、簡単な仮締機構になる。勿論、構成部品は少なく、部品点数も削減される。
【００１４】
更に、引戸閉止時に、係止爪がスプリングの助けを受けて錠ケース上部の係止孔に弾力的に係合して十分な仮締が確保されることから、閉止後の引戸鎌錠の開放が防止され、引戸の反発（バウンド）による開放も阻止される。従って、特殊な仮締機構は必要がなく、更に、反転ばねを使用した機構のような耐久性のない動きでないので、作動が円滑で、充分な強度が得られる。
【００１５】
前記仮締機構の揺動ストッパレバーは、一端に括れ曲がった係合突起が設けられて前記トリガー上に設けた係合凹部に係合され、他端にはレ状の係止爪が設けられている場合には、揺動ストッパレバーが、一端に括れ曲がった係合突起が設けられ、他端にレ状の係止爪が設けられた構造であるから、揺動ストッパレバー自体、ばね性を備えた弾力性部材となっている。それ故に、引戸閉止時に、係止爪が係止孔に強く係合して確実な仮締が得られる。
【発明を実施するための最良の形態】
【００１６】
以下、図面に示した本発明の実施の形態について、説明する。
【００１７】
図１は、本発明の一実施の形態に係る引戸鎌錠の引戸閉止前の状態の断面図、図２はその引戸鎌錠の引戸閉止時の状態の断面図である。
【００１８】
この実施形態の引戸鎌錠は、戸枠１側にストライクボックス３が取付けられている。一方、引戸２側には、錠ケース４が取付けられている。錠ケース４内には、トリガー５と回動鎌６が設けられている。回動鎌６は、鎌軸７に回動可能に軸支されている。回動鎌６の基部６ａにはピニオン８が設けられ、一方トリガー５の下面部にはラック９が形成されて、回動鎌６側のピニオン８とトリガー５側のラック９が係合している。
【００１９】
トリガー５の他端側には、コイル状のスプリング１０が介装されて、そのスプリング１０の付勢力によりトリガー５の先端部５ａが、引戸閉止前には錠ケース４のフロント４ａから突出している（図１参照）。
このトリガー５の突出する先端部５ａは、引戸閉止時にストライクボックス３のストライク３ａに当接して後退して、その後退によりラック９とピニオン８の係合作動により回動鎌６が回動し、その突出する先端部６ｂとストライクボックス３のストライク３ａが掛合する（図２参照）。
【００２０】
トリガー５の上面部には、揺動ストッパレバー１１が揺動可能に取付けられている。揺動ストッパレバー１１は、一端に括れ曲がった係合突起１１ａが設けられ、他端にレ状の係止爪１１ｂが設けられている。その揺動ストッパレバー１１は、括れ曲がった係合突起１１ａがトリガー５の上面部に設けられた係合凹部１２に係合して取付けられている。
【００２１】
また、揺動ストッパレバー１１の他端下部には、スプリング１３が取付けられている。他端の係止爪１１ｂは、スプリング１３の付勢力より上方に押圧され、係止爪１１ｂが引戸開閉に伴って、錠ケース４上部に形成された係止孔１４に係脱可能になっている。このような仮締機構が、引戸鎌錠に備えられている。
【００２２】
引戸閉止前は、図１に示すようにトリガー５の先端部５ａが錠ケース４のフロント４ａから突出している。一方、引戸が閉止されると、図２に示すようにトリガー５の先端部５ａが、ストライクボックス３のストライク３ａに当接して後退する。その後退によりトリガー５側のラック９と回動鎌６側のピニオン８の働きにより回動鎌６が回動し、その先端部６ｂがストライクボックス３のストライク３ａに掛合する。また、スプリング１３の付勢力より上方に押圧された揺動ストッパレバー１１他端の係止爪１１ｂが、係止孔１４に係合し、引戸鎌錠は仮締になる。なお、１５は、引戸閉止時に引戸内側からロック操作するロック部材である。
【００２３】
次に、回動鎌６の先端部６ｂをストライクボックス３のストライク３ａに掛合された引戸閉止後、ロック部材１５で回動鎌６を係止するロック（施錠）の場合について説明する。
【００２４】
図３は、本発明の一実施の態様に係る引戸鎌錠の引戸側断面図、図４は図３のＡ視断面図、図５は引戸側の室内長座部分の正面図、図６は引戸側の室外長座部分の背面図である。
【００２５】
また、引戸２側には、室内長座１６と室外長座１７が設けられ、両長座１６，１７間には、垂直になった摺動板１５ａとその摺動板１５ａに一体に水平方向に延びたロック部材１５が設けられている。ロック部材１５は、摺動板１５ａの上下摺動移動に伴って上下移動可能で、また錠ケース４を貫通するように設けられている。摺動板１５ａは、室外長座１７に設けた支軸１５ｂに取付けられた反転ばね１５ｃに支持されている。
【００２６】
室内長座１６の陥没部１６ａ内には、施錠及び解錠（ロック及びロック解除）の操作を行うシーソー式スイッチ１８が取付けられている。スイッチ１８はスイッチ軸１８ａに軸支され、その断面形状が内側に折曲した略逆「く」字状になっている。また、そのスイッチ１８には、摺動板１５ａと一体になったロック部材１５に係合して、それらを上下方向に移動する略Ｔ字状のアーム１９が一体に設けられている。
【００２７】
因みに、シーソー式スイッチ１８は、断面形状が内側に折曲した略逆「く」字状になっているので、施錠及び解錠（ロック及びロック解除）の操作時、室内長座１６の陥没部１６ａ外に突出することがない。従って、突出するスイッチ１８で、引戸開閉時に擦れ違いとなる戸袋や引違い戸に当たらず、また衣服を引掛けたり、子供の顔等に傷付けたりすることもない。
【００２８】
引戸閉止時、スイッチ１８をロックＡ側（下側）に押すと、スイッチ１８と一体になったアーム１９の動作によって摺動板１５ａと一体になったロック部材１５が上方に移動し、回動鎌６の背部をロック部材１５で係止してロック（施錠）が行われる。
【００２９】
この際、ロック部材１５と一体になった摺動板１５ａを直接支持している反転ばね１５ｃが反転し、上昇したロック部材１５で回動鎌６の背部を係止して、そのままの状態を維持する。従って、スイッチ１８を切換操作しない限り、施錠されたままになる。
【００３０】
一方、解錠する時は、スイッチ１８のロック解除Ｂ側（上側）を押すと、スイッチ１８と一体になったアーム１９の動作によって摺動板１５ａと一体になったロック部材１５は下方に移動され、ロック部材１５が回動鎌６の背部から離れて、解錠となる。この際、ロック部材１５と一体になった摺動板１５ａを直接支持している反転ばね１５ｃが反転し、元の位置に戻る。この時点で引戸２を開放すれば、ストライクボックス３のストライク３ａに掛合していた回動鎌６の先端部６ｂが外れて回動鎌６とストライク３ａとの掛合も外され、引戸は完全に開放される。
【００３１】
前記実施形態の仮締機構は、トリガー上に取付けられた揺動ストッパレバーと、その他端下部のスプリングと、錠ケース上部の係止孔と、係止孔に係脱可能になる係止爪で構成されていることから、極めて簡単な機構である。従って、構成部品が少なく、部品点数の削減も図れる。
また、揺動ストッパレバーが括れ曲がった係合突起を有する弾力性部材となっているから、引戸閉止時に係止爪が係止孔に強く係合して確実な仮締となる。
【００３２】
前記実施の形態においては、揺動ストッパレバーが、トリガーの上面部に設けられた係合凹部に係合突起を係合させて揺動可能に取付けられているが、揺動ストッパレバーをトリガーの上面部にピン等で支持して揺動可能に取付けた構造にしてもよい。
【図面の簡単な説明】
【００３３】
【図１】本発明の一実施の形態に係る引戸鎌錠の引戸閉止前の断面図である。
【図２】本発明の一実施の形態に係る引戸鎌錠の引戸閉止時の断面図である。
【図３】本発明の一実施の態様に係る引戸鎌錠の引戸側断面図である。
【図４】図３のＡ視断面図である。
【図５】引戸側の室内長座部分の正面図である。
【図６】引戸側の室外長座部分の正面図である。
【図７】従来の引戸鎌錠の引戸閉止前の断面図である。
【図８】従来の引戸鎌錠の引戸閉止時の断面図である。
【符号の説明】
【００３４】
１  戸枠、２  引戸、３  ストライクボックス、３ａ  ストライク、４  錠ケース、４ａ  フロント、５  トリガー、５ａ  先端部、６  回動鎌、６ａ  基部、６ｂ  先端部、８  ピニオン、９  ラック、１１  揺動ストッパレバー、１１ａ  係合突起、１１ｂ  係止爪、１２  係合凹部、１３  スプリング、１４  係止孔。
【図１】
2007077765.tif 000003
【図２】
2007077765.tif 000004
【図３】
2007077765.tif 000005
【図４】
2007077765.tif 000006
【図５】
2007077765.tif 000007
【図６】
2007077765.tif 000008
【図７】
2007077765.tif 000009
【図８】
2007077765.tif 000010